(57)【要約】【課題】ヘッド部の出没動操作が極めて簡単なテープ式修正具を提供する。【手段】修正具は着脱自在な前後本体カバー１，２を備えており、その内部にテープユニット１０１が配置されている。テープユニット１０１は、ホルダー１０２、供給リール１３、巻取りリール１１、ヘッド部８、ばね１０を備えている。両リール１３，１１は同期して同じ方向に回転する。後部本体カバー２には一方向操作ノック機構を設けている。一方向操作ノック機構は、プッシュ式の操作ボタン３、後部本体カバー２に固定された筒状の固定部材４、固定部材４にスライド自在で回転不能に嵌まった筒状の後方部材５、後方部材５にスライド自在で回転可能に嵌まった前方部材６で構成されている。各部材４，５，６に敬せしたカム部のガイド作用により、操作ボタン３を押すだけでヘッド部８を出没させることができる。【選択図】図２
2006123544.tif 000002
【特許請求の範囲】
【請求項１】
紙面に転写される塗膜を片面に塗工してなる修正テープが供給リールからヘッド部を経由して巻取りリールに巻き取られるように設けられているテープユニットと、前記テープユニットを覆う本体カバーとを備えており、
前記本体カバーに、テープユニットのヘッド部が出没可能な前部開口を形成しており、前記テープユニットは、ヘッド部が本体カバーの前部開口から露出した前進状態とヘッド部が本体カバーの内部に隠れた後退状態とに選択的に保持される修正具であって、
前記本体カバーの外側に露出した操作ボタンのノック操作を繰り返すと前記テープユニットが前進状態と後退状態とに交互に保持される一方向操作式ノック機構が備えられている、
転写テープ式修正具。
【請求項２】
前記本体カバーは、全体として細長くてその一端部に前記開口が空いていて他端部からは前記操作ボタンが露出していると共に、前記本体カバーは、前記開口を有する前部本体カバーと、前記操作ボタンが取付けられている後部本体カバーとに分離構成されており、前後両本体カバーには、当該両本体カバーを自在に分離・一体化するための弾性変形式の係合手段が設けられている一方、
前記テープユニットは、前記本体カバーを前後に分離すると交換できるカートリッジ方式になっており、このテープユニットに、当該テープユニットを後退状態に押すばねが一体に組み込まれている、
請求項１に記載した転写テープ式修正具。
【請求項３】
前記テープユニットの前部は前進状態において本体カバーの前端部に殆どずれない状態に保持されていると共に、テープユニットは前記供給リール及び巻取りリールが取付けられたホルダーを備えている一方、
前記本体カバーのうち操作ボタンが装着されている箇所には、前記一方向操作ノック機構の構成要素として、操作ボタンのノック動を前記ホルダーに伝える中間部材が、操作ボタンのノック方向に延びる軸心回りに間欠回転可能でかつ前記軸心に沿ってスライド自在に配置されており、前記中間部材とホルダーとは、中間部材の間欠回転を許容した状態で横ずれ不能に嵌合している、
請求項１又は２に記載した転写テープ式修正具。
【発明の詳細な説明】
【技術分野】
【０００１】
本願発明は、文字等を消すことに使用される転写テープ式修正具に関するものである。
【背景技術】
【０００２】
一般に、修正テープとは、紙上の誤字などを消し去り修正するために使用されるもので、その片面に塗工されている塗膜を誤字上に転写接着させることにより、誤字等を覆うものである。
【０００３】
修正テープを用いた修正具は、基本構成として、使用前の修正テープが巻かれている供給リール、塗膜を転写した修正テープを巻き取る巻取りリール、修正テープが供給リールから巻取りリールに移行する間の部分において修正テープを支持しているヘッド部（転写器）とを有しており、ヘッド部の箇所において修正テープを紙面に当ててずらし移動させることにより、修正テープの塗膜を紙面に転写（転移）させると共に、供給リールからの修正テープの繰り出しと巻取りリールへの巻取りとを行うようになっている。
【０００４】
また、テープ式修正具は修正テープやリールを覆う本体カバー（ケース又はケーシングと呼んでもよい）を有している。そして、テープ式修正具の第１のタイプとして、リールやヘッド部が本体カバーに固定的に設けられたものがあり、この第１のタイプは更に、ヘッド部を常に露出させたままのものと、本体カバーとは別にヘッド部を覆う着脱式又はスライド式のヘッドカバーを備えているものに分けられる。
【０００５】
更に、テープ式修正具の第２のタイプとして、例えば特許文献１に開示されているように、リールやヘッドをユニット化して本体カバーの内部にスライド自在に配置し、操作ボタンをノックする（或いはプッシュする）ことによってヘッド部が本体カバーの外側に突出するようにっているもの（すなわちノック式修正具）がある。このノック式の修正具では、ヘッド部は本体カバーから露出した前進状態と本体カバーの内部に隠れた後退状態とに選択的に保持される。
【特許文献１】特開２００４−１７４９５５号公報
【発明の開示】
【発明が解決しようとする課題】
【０００６】
第１のタイプの修正具のうちヘッド部が常に露出しているものは、不使用時に修正テープから塗膜が剥がれたり汚れたりする虞があり、また、ヘッド部に不用意に触って怪我をする虞も懸念される。これに対して、第１のタイプであってもヘッドカバーを備えているものはこれらの不具合を低減できるが、片手で本体カバーを持って他方の手でヘッドカバーの着脱又はスライド操作を行わねばならないため操作が面倒であり、また、ヘッドカバーが着脱式の場合は、紛失してしまって意味をなさなくなる場合もある。
【０００７】
これに対して特許文献１のようなノック式の修正具は、ヘッド部の出没操作を片手で行えるため操作が簡単である。
【０００８】
本願発明は、特許文献１のノック式を踏襲しつつ、その使い勝手をより一層向上させることを課題とするものである。
【課題を解決するための手段】
【０００９】
請求項１の発明は、紙面に転写される塗膜を片面に塗工してなる修正テープが供給リールからヘッド部を経由して巻取りリールに巻き取られるように設けられているテープユニットと、前記テープユニットを覆う本体カバーとを備えており、前記本体カバーに、テープユニットのヘッド部が出没可能な前部開口を形成しており、前記テープユニットは、ヘッド部が本体カバーの前部開口から露出した前進状態とヘッド部が本体カバーの内部に隠れた後退状態とに選択的に保持される修正具において、前記本体カバーの外側に露出した操作ボタンのノック操作を繰り返すと前記テープユニットが前進状態と後退状態とに交互に保持される一方向操作式ノック機構が備えられている点に特徴を有している。
【００１０】
また、請求項２の発明は請求項１の発明をより具体化したもので、請求項１において、前記本体カバーは、全体として細長くてその一端部に前記開口が空いていて他端部からは前記操作ボタンが露出していると共に、前記本体カバーは、前記開口を有する前部本体カバーと、前記操作ボタンが取付けられている後部本体カバーとに分離構成されており、前後両本体カバーには、当該両本体カバーを自在に分離・一体化するための弾性変形式の係合手段が設けられている一方、
前記テープユニットは、前記本体カバーを前後に分離すると交換できるカートリッジ方式になっており、このテープユニットに、当該テープユニットを後退状態に押すばねが一体に組み込まれている。
【００１１】
更に、請求項３の発明は請求項１又は２を具体化したもので、前記テープユニットの前部は前進状態において本体カバーの前部に殆どずれない状態に保持されていると共に、テープユニットは前記供給リール及び巻取りリールが取付けられたホルダーを備えている一方、前記本体カバーのうち操作ボタンが装着されている箇所には、前記一方向操作ノック機構の構成要素として、操作ボタンのノック動を前記ホルダーに伝える中間部材が、操作ボタンのノック方向に延びる軸心回りに間欠回転可能でかつ前記軸心に沿ってスライド自在に配置されており、前記中間部材とホルダーとは、中間部材の間欠回転を許容した状態で横ずれ不能に嵌合している。
【発明の効果】
【００１２】
本願発明に係る修正具は、一つの操作ボタンのプッシュ操作を片手で繰り返すだけでテープユニットのヘッド部が突出状態になったり後退状態になったり切り替わるため、操作性（使い勝手）が格段に向上している。より詳しく述べると、ヘッド部を突出させる操作とヘッド部を後退させる操作とを別々のボタンで行う必要がないため、使い勝手が抜群に良くなっているのである。
【００１３】
請求項２のように構成すると、テープユニットだけを交換して本体カバーは使用し続けることができるので資源の節約に貢献できる。ところで、ノック式の修正具にはテープユニットを後退状態に押すばねが必要であり、テープユニットをカートリッジ方式にした修正具としては、例えば特開２００４−２９１２８４号公報に記載されているようにばねを本体カバー（外本体カバー）に組み込むことも可能であるが、この構成では、ばねを紛失すると修正具として使用できなくなるという問題に加えて、ばねはその内部にヘッド部が入る大きさが必要であるため必然的に本体カバーの先端部が大径になることから、本体カバーの先端部が邪魔になって紙面の修正箇所を視認しずらい（すなわち使用しにくい）という問題がある。
【００１４】
これに対して本願発明の請求項２のように構成すると、ばねはテープユニットに組み込まれているためばねの紛失による使用不能といった問題が生じることは全くなく、また、実施形態から理解できるようにばねを小型化することが可能であるため、本体カバーの先端部を細くすることも簡単であり、このため、紙面の修正箇所を見やすくて使い勝手の良い形態とすることが可能になる。
【００１５】
更に、請求項３のように構成すると、一方向操作ノック機構の中間部材とテープユニットのホルダーとが嵌合しているため、操作ボタンの動きをテープユニットの動きに確実に変換できるのみならず、テープユニットのスライド構造も簡単化できる利点がある。
【発明を実施するための最良の形態】
【００１６】
次に、図面を参照して本願発明の実施形態を説明する。
【００１７】
(1).本実施形態の構成
図１〜図１２では本実施形態を示している。図１は修正具の斜視図、図２は修正具の分解斜視図で、図３は修正具の側面断面図、図４は修正具における固定部材と後方部材と前方部材との分解斜視図、図５は修正具における固定部材と後方部材と前方部材とを組合わせた状態を示す部分側面透視図、図６は修正具の後方部材が押されて前方部材が固定部材から押出された状態を示す側面透視図、図７は修正具の前方部材が回転した状態を示す側面透視図、図８はヘッド部が突出した状態での修正具の斜視図、図９はヘッド部が突出した状態での側面断面図、図１０は修正具の部分斜視図、図１１はヘッド部と固定フレームとの連結関係を示す分解斜視図、図１２はヘッド部が回転した状態を示す正面図である。
【００１８】
図１〜図５に示すように、本発明の修正具は、自在に分離・一体化できる中空状の前部本体カバー１及び後部本体カバー２とを備えており、両者により、全体として細長い本体カバーが構成されている。
【００１９】
前部本体カバー１は、図１に表示した表示方向を基準にして、平面視では全体として略同じ幅寸法である（すなわち扁平状である）が、正面視では基端が幅広で先端は細くなっている。換言すると、略扁平状で先端に向けて窄まる外観を呈しており、このため、一対の広幅部１ａ及び幅狭部１ｂとを有しており、先端には前部開口１ｃが空いている。前部本体カバー１のうち先端寄り部位に、図３及び図９に示すように、段部である止め部１０３が全周にわたって形成されている。また、幅狭部１ｂの基端部はえぐられた凹所１ｄになっており、かつ、幅狭部１ｂのうち凹所１ｄの縁寄りの箇所には、請求項に記載した係合手段の一環をなす係止穴２２が形成されている。
【００２０】
後部本体カバー２も、図１に表示した表示方向を基準にして、平面視では略等幅であり、正面視では後端に行くに従って幅寸法が少しずつ小さくなる外観を呈しており、このため、前部本体カバー１と同様に、広幅部２ａと幅狭部２ｂとを有している。そして、前後本体カバー１，２から成る全体としての本体カバーは、正面視では卵を細くしたような外観を呈している（前部本体カバー１が後部本体カバー２よりも長くなっている。）
図２から理解できるように、後部本体カバー２の後端には四角形の後部開口２ｃが空いており、また、後部本体カバー２の幅狭部２ｂには、前部本体カバー１における幅狭部１ｂの凹所１ｄにきっちり嵌まる突出片２ｄが形成されており、両突出片２ｄの自由端に、請求項１に記載した係合手段の一環として、前部本体カバー１の係止穴２２に内側から嵌まる係止爪２１が形成されている。係止爪２１は、突出片２ｄを本体カバーの内側に押し曲げて弾性変形させると係止穴２２から離脱し、これにより、前後本体カバー１，２を分離できる。また、嵌め込みは突出片２ｄを弾性変形させることによって行う。
【００２１】
図３に示すように、後部本体カバー２の後部開口２ｃは本体カバーの長手方向に長く延びており、後部本体カバーの内部には、後部開口２ｃの内部に位置して後ろ向きに延びる筒状の位置決め部２０１が形成されており、位置決め部２０１と後部開口２ｃの内面との間には環状空間２ｅが空いている。後部本体カバー２の後部開口２ｅには角形の操作ボタン３が後方から嵌まっている。
【００２２】
操作ボタン３は前向きに開口していたこのため正断面形状はコ字形であり、ノック操作（プッシュ操作すると）と、その前部が前記した環状空間２ｅに入り込む。操作ボタン３の内部のうちその後部には凸部３０１を形成している。
【００２３】
本体カバーの内部には、交換方式のテープユニット１０１が配置されている（テープユニット１０１はおおむね前部本体カバー１の内部に配置されている）。テープユニット１０１は、使用前の修正テープ１５が巻かれた供給リール（テープ盤）１３、使用済の修正テープ１５を巻き取る巻取りリール（回収リング）１１と、両リール１３，１１が回転自在に取付けられたホルダー１０２とを備えている。供給リール１３は基端側に位置した巻取りリール１１が先端側に位置しており、両リール１１，１３は、連動リング１２に巻き掛けたリング部材（丸ベルト）１４によって同期して同じ方向に回転するようになっている。
【００２４】
ホルダー１０２は、前部本体カバー１における一方の広幅部１ａと平行に延びる基板を備えていてこの基板にリール１１，１３が取付けられており、また、ホルダー１０２は、供給リール１３を後方から囲う形態の壁板１０２ａを備えており、この壁板１０２ａに、凸部１０２ｂを後ろ向き突設している。両リール１３，１１の回転軸心は、前部本体カバー１，２の広幅部１ａ，２ａを貫通する方向に延びている。
【００２５】
テープユニット１０１のホルダー１０２は、巻取りリール１１の前方に延びる固定フレーム部７を備えている。例えば図１０から容易に理解できるように、固定フレーム部７は、前部本体カバー１の幅狭部１ｂの側に位置した平行な２枚の板部を備えていて中空状になっており、正面視で前後に開口している。固定フレーム部７の先端には端板７ａを備えている。更に、端板７ａに側面視円柱状の前ブロック７ｂを突設し、この前ブロック７ｂに、両リール１３，１１の軸心と平行に延びる円柱形の一対の支軸（固定柱）８２を突設している。
【００２６】
テープユニット１０１は、修正テープ１５を紙面に押し当てて移動させるためのヘッド部８を備えている。例えば図１１に示すように、ヘッド部８は、修正テープ１５がＵターン状に掛けられる支持板８ａと、支持板８ａの端面に一体に設けた２枚の側板８ｂとを備えており、２枚の側板８ｂで固定フレーム部７の前ブロック７ｂを挟んだ状態になっており、更に、側板８ｂには、前記した前ブロック７ｂの支軸８２に嵌まる長穴８１が空いている。長穴８１は側板８ｂを横切る方向に長く延びている。また、ヘッド部８における支持板８ａの後端にはピン８１１が後ろ向きに突設されている一方、固定フレーム部７における前ブロック７ｂには、前記ピン８１１が回転可能に嵌まるピン穴８２１が形成される。
【００２７】
ピン８１１がピン穴８２１に回転可能に嵌まっていることと、支軸８２が長穴８１に嵌まっていることにより、図１２に示すように、ヘッド部８は本体カバーの長手軸心の回りに回転すること（すなわち首振りすること）が可能になっている。このため、本体カバー１，２が幅狭部１ｂ，２ｂを紙面と平行にしていない姿勢であっても、修正テープ１５をその幅全体にわたって紙面に密着させることができる。本実施形態では、ヘッド部８は約１８度程度首振り回転が可能になっている。
【００２８】
図２，図３，図９〜１０に示すように、ホルダー１０２における固定フレーム部７の中空部内には、ばね（コイルスプリング）１０を配置している。ばね１０は本体カバーの長手方向に伸縮し得るように配置されており、その前端はホルダー１０２で支持されている一方、ばね１０の前端は、固定フレーム部７の内部にスライド自在に配置されたばね受け９（スプリング圧縮プレート）９で支持されている。そして、ばね受け９は固定フレーム部７の外側に張り出しており、この張り出し部が、前部本体カバー１の前部内面に形成した段状の止め部１０３に常に当接している。
【００２９】
従って、ホルダー１０２を後方から押すと、ヘッド部８はばね１０に抗して前進動して前部開口１ｃから外側に突出し、ホルダー１０２がばね１０によって後退し切ると、ヘッド部８は前部本体カバー１の内部に隠れる。
【００３０】
後部本体カバー２には、前記操作ボタン３も一部として請求項に記載した一方向操作ノック機構が設けられている。一方向操作ノック機構は、図２〜７に示すように、後部本体カバー２における位置決め部２０１の内部に嵌まった円筒状の固定部材４と、この固定部材４の内部に前側から嵌まった円筒状の後方部材６と、後方部材６に前側から部分的に嵌まった前方部材６を備えている。前方部材６が請求項に記載した中間部材に該当する。
【００３１】
固定部材４は、後部本体カバー２における位置決め部２０１の内部に回転不能及びスライド不能に配置されており、その内周面のうち周方向に等間隔を隔てて３カ所に、軸方向に延びる３本の深溝４１が形成されると共に、隣り合った深溝４１で挟まれた部位には、前端に位置決め溝４３を有する浅溝４２がそれぞれ形成されている。そして、隣り合った深溝４１と浅溝４２との間の部位は、前端を周方向に傾斜させた傾斜面（カム面）４５と成した凸ブロック部４４となっている。
【００３２】
後方部材５は固定部材４の内部に嵌まっているが、その後端は固定部材４の後方に突出しており、かつ、後端面は、操作ボタン３の内部に設けた凸部３０１に当接している。また、後方部材５における前部の外周面には、固定部材４における深溝４１と浅溝４２とにスライド自在に嵌まる６本のレール部５１が軸方向に延びるように設けられ、更に、前端面には、周方向に向けて凹凸が連続した後歯形部５２が形成されている。後歯形部５２は６個ずつの山と谷とを有しており、山と谷とは傾斜面によって連続している。後方部材５のレール部５１は、凸ブロック部４４の箇所ではスライドすることができない。
【００３３】
前方部材６は、後方部材５の内部を貫いて操作ボタン３における凸部材３０１に接触しており、また、前端は、テープユニット１０１におけるホルダー１０２に形成した凸部１０２ｂに相対回転可能に嵌め込まれている。また、図４に明示するように、前方部材６の前半部は大径部６ａになっていて、この大径部６ａのコカ単面に、後方部材５における後歯形部５２と噛合する前歯形部６２が形成されると共に、大径部６ａの外周面には、固定部材４の３本の深溝４１にスライド自在に嵌まり得る３本の傾斜レール部６１が設けられている。
【００３４】
傾斜レール部６１の後端面は周方向に向かって傾斜している（カム面になっている）。また、図５に示すように、後方部材５と前方部材６との歯形部５２，６２がきっちり噛み合った状態では、両部材５，６のレール部５１，６１は周方向にずれている。
【００３５】
(2).本実施形態の作用
以上の構成において、ヘッド部８が後退した状態では、後方部材５の各レール部５１は固定部材４の深溝４１と浅溝４２とに嵌まっており、かつ、前方部材６の傾斜レール部６１は固定部材４の深溝４１に嵌まっている。この状態では、前方部材６の３本のレール部６１は後方部材５における３本のレール部５１と直線状に並んでいる（従って、両部材５，６はしっかりと噛み合ってはいない）。
【００３６】
そして、ヘッド部８が後退した状態から人が操作ボタン３をノックすると、後方部材５と前方部材６とはばね１０に抗して一緒に前進するが、前方部材６が固定部材４の深溝４１から離脱すると、後方部材５と前方部材６との歯形部５２，６２がしっかり噛み合っていないことに起因して、前方部材６は後方部材５の後歯形部５２によって若干の角度だけ１方向に強制的に回転させられて、前方部材６の傾斜レール部６１は固定部材４の傾斜面４５の箇所に位置する。
【００３７】
そして、前後部材５，６が前進し切った状態で人が操作ボタン３から指を離すと前後部材５，６はばね１０によって後退するが、前方部材６が回転していることにより、後退初期において、前方部材６の傾斜レール部６１は固定部材４の傾斜面４５に案内されて位置決め溝４３の箇所に移行するように回転し、位置決め溝４３の箇所で停止する。これにより、テープユニット１０１はそのヘッド部８を前部開口１ｃから露出した状態に保持される。従って、使用者は修正テープ１５を紙面の修正箇所に当てて転写作業（修正作業）を行うことができる。
【００３８】
前方部材６のレール部６１が固定部材４の位置決め溝４３て停止させられた状態では、前後部材５，６の歯形部５２，６２はきっちりとは噛み合っていない。従って、ヘッド部８が露出した状態から再び操作ボタン３を押すと、後方部材５が固定部材４の浅溝４２を離脱すると前方部材６は後方部材５の歯形部５２のガイド作用によって若干の角度だけ間欠回転する。
【００３９】
そして、操作ボタン３を押し切ってから指を離すと、前方部材６はばね１０の復元力によって後退するが、この後退初期に、傾斜レール６１が固定部材４の傾斜面４５にガイドされることによって前方部材６が所定角度だけ回転し、この回転により、傾斜レール部６１は固定部材４の深溝４１に案内されて後退し続ける。そして、図３に示すように、テープユニット１０１のヘッド部８は前部本体カバー１の内部に後退収容される。
【００４０】
敢えて述べるまでもないが、本実施形態では、操作ボタン３を１回押して離すという１動作ごとに前方部材６は６０°ずつ間欠回転し、この間欠回転により、テープユニット１０１は前進状態と後退状態とに交互に保持される。もちろん、前方部材６の間欠回転角度は６０度に設定することには限らず、例えば４５度ずつ回転するなど設定しても良い。
【００４１】
(3).実施形態の利点
固定部材４を別部材として形成せずに、深溝４１や浅溝４２等のガイド部を後部本体カバー２に一体成形することも可能であるが、固定部材４を後部本体カバー２とは別部材で製造すると、加工精度を高めることができる利点や、固定部材４に滑りの良い部材を使用して動きをスムースにできる利点がある（本実施形態では、修正テープ１５を除いて各部材は樹脂の成形品である）。
【００４２】
本実施形態では、ホルダー１０２に設けたばね受け９が前部本体カバー１の内部に殆ど横ずれしない状態できっちりと嵌まっている。このため、テープユニット１０１の前部は殆どガタツキのない状態に保持されている（勿論、ヘッド部８は首振りでききる）。
【００４３】
他方、一方向操作ノック機構を構成する前方部材６は後方部材５及び固定部材４を介して後部本体カバー２に殆ど横ずれしない状態に保持されているが、ホルダー１０２の後部の突起１０２ｂと前方部材６とがきっちり嵌合しているため、テープユニット１０１はほとんどガタツキのない状態でスライドさせることができ、このため、スライド構造を簡単にできると共に、テープユニット１０１のセットも容易である。
【００４４】
また、前後本体カバー１，２を正面視及び平面視で非対称の形状に形成することも可能であるが、かくすると、組み立てやテープユニット１０１の交換が面倒になる。これに対して本実施形態では、前部本体カバー１及び後部本体カバー２とも正面視で上下対称及び平面視で前後対称の形状に形成しており、このため、前後本体カバー１，２を嵌め合わせるに際しての方向性がない。このため、組み立てやテープユニット１０１の交換が容易になる。
【００４５】
なお、図８に一点鎖線で示すように、前後本体カバー１，２の広幅部１ａ，２ａには、互いに噛み合う三角形状等の嵌合部１ｆ，２ｆを形成しても良い、このようにすると両本体カバー１，２の位置決めが一層容易になる。なお、修正具を使用するに際して修正テープ１５の送りの関係で姿勢に方向性があるが、そこで、本体カバー１，２の嵌め合わせに方向性を持たせると共に、本体カバー１，２に対するテープユニット１０１のセットの方向性を持たせることも可能であり、両本体カバー１，２の嵌め合わせに方向性を持たせる方法として、両本体カバー１，２の一方の広幅部１ａ，２ａのみに位置決め用嵌合部１ｆ，２ｆを形成することも可能である。
【００４６】
テープユニット１０１におけるホルダー１０２に、供給リール１３を部分的に覆う壁板１０２ａを形成すると、組み立て等の段階で修正テープ１５が傷つくことを防止できる利点がある。
【００４７】
また、実施形態のように、ばね１０をホルダー１０２における中空状の固定フレーム部７に内蔵した構造にすると、組み立て工程でばね１０が離脱することを防止できるのみならず、ばね１０はごく小型のものを使用できるため全体をコンパクト化できる。また、ばね１０を小型化できることにより、前部本体カバー１の前端部をできるだけ細くすることができ、その結果、紙面の修正箇所が見易くなって使い勝手が良いと共に、デザイン的にもスッキリさせることができる。
【００４８】
本体カバーを前後に分離した場合、両者の着脱方式としては、例えば前記した特開２００４−２９１２８４号公報に記載されているように、係止爪２ｃを外側から押すことによって係合解除する方式も可能であるが、これでは、ごく小さい爪を押さねばならないため分離作業が面倒であり、また、美観が劣る問題がある。
【００４９】
これに対して本実施形態のように、後部本体カバー２に設けた二股状の突出片２ｄを内側に押し曲げる構造を採用すると、突出片２ｄに指を掛けやすいため分離作業が楽であり、また、美観にも優れている利点がある。
【００５０】
なお、突出片２ｄに、指先を当てるための突起又は凹所を形成すると、需要者に押す場所を正確に把握させることができるため、より好適である。また、突出片２ｄの内面でホルダー１０２をガイドさせること、換言すると、突出片２ｄをホルダー１０２のガイド部として機能させることもでき、これにより、テープユニット１０１の動きをよりスムースならしめることができる。
【００５１】
(4).その他
上記した実施形態は本願発明の一例であり、本願発明は更に様々に形態に具体化できる。例えば本体カバーは前後分離方式にする必要はなく、全体を一体構造としたり、２つ割り方式にしたりすることもできる。勿論、テープユニットをカートリッジ方式とする必然性もない。ヘッド部はホルダーに一体成形しても良いし、別部材とした場合でも首振り式にする必要はなく、ホルダーに固定しても良い。
【００５２】
また、一方向操作ノック機構は回転式の部材を使用したものに限らず、他の様々の機構を採用できる。一方向操作ノック機構をユニット化して、これを本体カバーにセットすることも可能である。また、本実施形態で開示した各構成（例えば、ばね受けを介してホルダーを本体カバーに支持すること）は請求項１とは分離して独立した発明たり得るものである。
【図面の簡単な説明】
【００５３】
【図１】修正具の斜視図である。
【図２】修正具の分解斜視図である。
【図３】修正具の側面断面図である。
【図４】修正具分解斜視図である。
【図５】一方向操作ノック機構の部分側面図である。
【図６】前方部材が固定部材から押出された状態を示す側面図である。
【図７】前方部材が回転した状態を示す側面図である。
【図８】ヘッド部を突出させた状態の斜視図である。
【図９】ヘッド部が突出した状態での側面断面図である。
【図１０】修正具の部分斜視図である。
【図１１】ヘッド部と固定フレーム部との関係を示す分解斜視図である。
【図１２】ヘッド部が回転した状態を示す正面図である。
【符号の説明】
【００５４】
１  前部本体カバー
１０１  テープユニット
１０２  ホルダー
１０  ばね
１１  巻取りリール
１３  供給リール
１５  修正テープ
２  後部本体カバー
２１  係合手段の一環を成す係止爪
２２  係合手段の一環を成す係止穴
３  操作ボタン
４  一方向操作ノック機構を構成する固定部材
５  一方向操作ノック機構を構成する後方部材
６  一方向操作ノック機構を構成する前方部材（中間部材）
７  ホルダーの固定フレーム部
８  ヘッド部
８１  長穴
８１１  ピン
８２  固定柱
８２１  ピン穴
９  ばね受け
【図１】
2006123544.tif 000003
【図２】
2006123544.tif 000004
【図３】
2006123544.tif 000005
【図４】
2006123544.tif 000006
【図５】
2006123544.tif 000007
【図６】
2006123544.tif 000008
【図７】
2006123544.tif 000009
【図８】
2006123544.tif 000010
【図９】
2006123544.tif 000011
【図１０】
2006123544.tif 000012
【図１１】
2006123544.tif 000013
【図１２】
2006123544.tif 000014